【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
メールの送受信機能を有する通信装置において、
前記通信装置は、メールを表示する表示部と、メール表示制御部と、表示メ  モリと、を備え、
予め定められた特定のキー操作、または、メール処理操作が行われた場合、  当該操作の対象になった複数のメールに対して、前記メール表示制御部は前記  表示メモリを分割し、分割された表示メモリに前記メールのそれぞれを展開し  て前記表示部に表示することを特徴とする通信装置。
【請求項２】
前記予め定められた特定のキー操作、または、メール処理操作は、受信メー  ルに対する返信メールキーまたは返信メール処理の操作であることを特徴とす  る請求項１に記載の通信装置。
【請求項３】
前記通信装置は、更に、各メールごとに関連するメールとの間を関連付ける  リンク記録部を有する送信メールおよび／または受信メールのメール一覧記憶  部と、メール処理制御部と、を備え、
前記メール処理部は、予め定められた特定のキー操作、または、メール処理  操作が行われた場合、当該操作の対象になったメールに対して前記リンク記録  部にリンク設定を行い、前記メール表示制御部は前記表示メモリを分割し、分  割された表示メモリに互いに関連付けられてリンク設定されたメールのそれぞ  れを展開して前記表示部に表示することを特徴とする請求項１に記載の通信装 置。
【請求項４】
前記予め定められた特定のキー操作、または、メール処理操作は、受信メー  ルに対する返信メールキーまたは返信メール処理の操作であることを特徴とす  る請求項３に記載の通信装置。
【請求項５】
前記予め定められた特定のキー操作、または、メール処理操作は、メールの  関連付けのためのリンクキーまたはメールのリンク設定処理の操作であり、該  操作が行われた場合、前記メール処理制御部は、メール一覧を表示部に表示し  、リンク設定するメールを選択することを特徴とする請求項３に記載の通信装 置。
【請求項６】
前記予め定められた特定のキー操作、または、メール処理操作は、メール受  信キーまたはメール受信処理の操作であり、受信したメールに前記設定された  リンクが付加されている場合、前記メール処理制御部は、該受信メールに付加  されたリンクに基づいて関連するメールにリンク設定を行うことを特徴とする  請求項３に記載の通信装置。
【請求項７】
前記リンク記録部に複数のリンクが記録されている場合、前記予め定められ  た特定のキー操作、または、メール処理操作に応じて受信日付または送信日付  が新しいメールから順に前記表示部に表示することを特徴とする請求項３に記  載の通信装置。
【請求項８】
メールを表示する表示部と、メール表示制御部と、表示メモリと、メールご  とに関連するメールとの間を関連付けるリンク記録部を有する送信メールおよ  び／または受信メールのメール一覧記憶部と、を備え、予め定められた特定の  キー操作、または、メール処理操作が行われた場合、当該操作の対象になった  複数のメールに対して、前記メール表示制御部は前記表示メモリを分割し、前  記リンク記録部にリンクが設定されたメールのそれぞれを前記分割された表示  メモリに展開して表示部に表示する通信装置と通信する通信装置であって、
該通信装置は、メール送信に際して当該メールに関連する他の送信メールま  たは受信メールとの間を関連付けるリンクを設定して前記表示メモリを分割し  て表示する通信装置に送信することを特徴とする通信装置。
【手続補正２】
【補正対象書類名】明細書
【補正対象項目名】発明の名称
【補正方法】変更
【補正の内容】
【発明の名称】通信装置
【手続補正３】
【補正対象書類名】明細書
【補正対象項目名】０００１
【補正方法】変更
【補正の内容】
【０００１】
本発明は、表示画面を分割してそれぞれに受信メールと送信メールを表示するようにした通信装置に関するものであり、特に、簡単なキー操作で受信メールと送信メールを分割画面に表示でき、また、分割表示する受信メールと送信メール間の関連付けを容易にし、関連するメールを分割画面に表示できるようにした通信装置に関するものである。
【手続補正４】
【補正対象書類名】明細書
【補正対象項目名】００１６
【補正方法】変更
【補正の内容】
【００１６】
前記課題を解決するために、本願の請求項１にかかる発明は、メールの送受信機能を有する通信装置において、前記通信装置は、メールを表示する表示部と、メール表示制御部と、表示メモリと、を備え、予め定められた特定のキー操作、または、メール処理操作が行われた場合、当該操作の対象になった複数のメールに対して、前記メール表示制御部は前記表示メモリを分割し、分割された表示メモリに前記メールのそれぞれを展開して前記表示部に表示することを特徴とする。
【手続補正５】
【補正対象書類名】明細書
【補正対象項目名】００１８
【補正方法】変更
【補正の内容】
【００１８】
請求項３に記載の発明は、前記通信装置は、更に、各メールごとに関連するメールとの間を関連付けるリンク記録部を有する送信メールおよび／または受信メールのメール一覧記憶部と、メール処理制御部と、を備え、前記メール処理部は、予め定められた特定のキー操作、または、メール処理操作が行われた場合、当該操作の対象になったメールに対して前記リンク記録部にリンク設定を行い、前記メール表示制御部は前記表示メモリを分割し、分割された表示メモリに互いに関連付けられてリンク設定されたメールのそれぞれを展開して前記表示部に表示することを特徴とする。
【手続補正６】
【補正対象書類名】明細書
【補正対象項目名】００２３
【補正方法】変更
【補正の内容】
【００２３】
請求項８に記載の発明は、メールを表示する表示部と、メール表示制御部と、表示メモリと、メールごとに関連するメールとの間を関連付けるリンク記録部を有する送信メールおよび／または受信メールのメール一覧記憶部と、を備え、予め定められた特定のキー操作、または、メール処理操作が行われた場合、当該操作の対象になった複数のメールに対して、前記メール表示制御部は前記表示メモリを分割し、前記リンク記録部にリンクが設定されたメールのそれぞれを前記分割された表示メモリに展開して表示部に表示する通信装置と通信する通信装置であって、該通信装置は、メール送信に際して当該メールに関連する他の送信メールまたは受信メールとの間を関連付けるリンクを設定して前記表示メモリを分割して表示する通信装置に送信することを特徴とする。
【手続補正７】
【補正対象書類名】明細書
【補正対象項目名】００２４
【補正方法】変更
【補正の内容】
【００２４】
請求項１にかかる発明においては、通信装置は、メールを表示する表示部と、メール表示制御部と、表示メモリと、を備え、予め定められた特定のキー操作、または、メール処理操作が行われた場合、当該操作の対象になった複数のメールに対して、前記メール表示制御部は前記表示メモリを分割し、分割された表示メモリに前記メールのそれぞれを展開して表示する。
【手続補正８】
【補正対象書類名】明細書
【補正対象項目名】００２８
【補正方法】変更
【補正の内容】
【００２８】
また、請求項３にかかる発明においては、請求項１にかかる発明において、前記通信装置は、更に、各メールごとに関連するメールとの間を関連付けるリンク記録部を有する送信メールおよび／または受信メールのメール一覧記憶部と、メール処理制御部と、を備え、前記メール処理部は、予め定められた特定のキー操作、または、メール処理操作が行われた場合、当該操作の対象になったメールに対して前記リンク記録部にリンク設定を行う。
【手続補正９】
【補正対象書類名】明細書
【補正対象項目名】００３８
【補正方法】変更
【補正の内容】
【００３８】
また、請求項８にかかる発明によれば、通信装置は、メール送信に際して当該メールに関連する他の送信メールまたは受信メールとの間を関連付けるリンクを設定して前記表示メモリを分割して表示する通信装置に送信する。
【手続補正１０】
【補正対象書類名】明細書
【補正対象項目名】００３９
【補正方法】変更
【補正の内容】
【００３９】
このような構成によれば、表示メモリを分割して関連するメールを同時に表示する通信装置に、メールを関連付けるリンクを設定して送信することができる通信装置を提供することができるようになる。